(57)【特許請求の範囲】
【請求項１】
発射台を有する本体と、
前記本体の発射台に沿って後方の発射準備位置と前方の発射完了位置との間を滑走し得るように設置され、飛行体を離脱可能な状態で搭載するための滑走ブロックと、
前記滑走ブロックを発射準備位置に装填させ得るように、前記発射台に沿って移動可能に設置される装填把持部と、
前記滑走ブロックを後方の発射準備位置から前方の発射完了位置に移動させて飛行体を前方に飛ばせる発射手段と、
前記滑走ブロックが発射台に沿って滑走するにつれて、前記飛行体に回転力を印加する回転手段とを含むことを特徴とする飛行体発射用玩具銃。
【請求項２】
前記発射手段は、一端と他端が前記発射台の先端と前記滑走ブロックにそれぞれ固定されるコイルスプリングであることを特徴とする請求項１に記載の飛行体発射用玩具銃。
【請求項３】
前記回転手段は、前記発射台に長手方向に沿って設置されるラックギヤと、前記ラックギヤに噛み合うように、前記滑走ブロックに回転可能に設置されるピニオンギヤと、前記ピニオンギヤと作動的に連結されて装着される飛行体を回転させる回転軸であることを特徴とする請求項１に記載の飛行体発射用玩具銃。
【請求項４】
前記滑走ブロックを発射準備位置でロックさせ或いはロック解除して発射完了位置への移動を許容するロック及びロック解除手段を含み、前記ロック及びロック解除手段は、ヒンジ軸を中心として本体に回転可能に設置される引き金と、前記引き金と作動的に連結され、ロック突起を備えているロッカーと、前記ロッカーのロック突起に係止されるように滑走ブロックに設けられる係止フックと、前記ロックロッカーが前記係止フックに係止される方向に前記ロッカーを弾支するスプリングとからなることを特徴とする請求項１に記載の飛行体発射用玩具銃。
【請求項５】
発射準備位置にロックされた前記滑走ブロックのロック解除を選択的に制限することが可能な引き金安全装置をさらに含み、前記引き金安全装置は、前記発射台に施錠位置と解錠位置との間を往復動できるように設置され、施錠位置で前記引き金の回転を制限するストッパーと、前記ストッパーを施錠位置方向に付勢するスプリングと、前記装填把持部に押圧され、前記ストッパーを施錠位置から解錠位置へ移動させる解錠ピンとからなることを特徴とする請求項４に記載の飛行体発射用玩具銃。
【請求項６】
前記本体は拳銃状であることを特徴とする請求項１に記載の飛行体発射用玩具銃。
【発明の詳細な説明】
【０００１】
【発明の属する技術分野】
本発明は、飛行体発射用玩具銃に関し、より詳細には、拳銃状の発射装置を用いて飛行体をより遠く且つより長く飛行させることが可能な飛行体発射用玩具銃に関する。
【０００２】
【従来の技術】
幼児及び子供たちは動的な動きを有する玩具類に特別な興味をもつ。その中でも、特に推進力を用いるか、或いは空気の揚力のみで飛行体を飛行させる玩具類は、子供たちが最も好んでおり、最も興味を感じる玩具類の一つである。このような飛行玩具類は、子供たちに科学的な好奇心を持たせるとともに、未来指向的な思考を発達させる。
【０００３】
【発明が解決しようとする課題】
ところが、空気の揚力のみで飛行体を空中に浮べる玩具類、例えば円盤またはプロペラ状の飛行体などを飛行させる玩具類は、別途の推進力を使用しないため、飛行体を遠く飛行させることができないか、或いは遠く飛行させても飛行時間を長く持続させることができないという欠点があった。従って、飛行体をより遠く且つより長く飛行させることを可能にすれば、子供たちに一層興味と関心を持たせることができる。
【０００４】
従って、本発明の目的は、子供たちの関心と興味を誘発することができるように、飛行体をより遠く且つより長く飛行させることを可能にした飛行体発射用玩具銃を提供することにある。
【０００５】
【課題を解決するための手段】
このような本発明の目的は、発射台を有する本体と、前記本体の発射台に沿って後方の発射準備位置と前方の発射完了位置との間を滑走し得るように設置され、飛行体を離脱可能な状態で搭載するための滑走ブロックと、前記滑走ブロックを発射準備位置に装填させ得るように、前記発射台に沿って運動可能に設置される装填把持部と、前記滑走ブロックを後方の発射準備位置から前方の発射完了位置に移動させて飛行体を前方に飛ばせる発射手段と、前記滑走ブロックが発射台に沿って滑走するにつれて、前記飛行体に回転力を印加する回転手段とを含む飛行体発射用玩具銃によって達成することができる。
【０００６】
【発明の実施形態】
以下、本発明に係る飛行体発射用玩具銃の好適な実施例を添付図に基づいて詳細に説明する。
【０００７】
まず、図１に示すように、本発明に係る飛行体発射用玩具銃は、発射装置１０と、発射装置１０によって発射されるプロペラ型飛行体１２とからなる。
【０００８】
より詳しくは、発射装置１０は本体２０を有する。本体２０は、図２に示すように、左右に分けられる左本体部２２と右本体部２４からなる。分割された左本体部２２と右本体部２４はボルトＢによって組み立てられ、拳銃状の本体２０を成す。
【０００９】
本体２０は、銃身状の発射台３０を備えており、発射台３０の一側にはグリップ部４０が設けられている。特に、発射台３０の上面には飛行体１２の滑走が可能な幅の広い滑走面３２を備えており、図２及び図３に示すように、発射台３０の内部には作動空間３４が設けられている。作動空間３４は左本体部２２と右本体部２４とが組み立てられることにより設けられるもので、その両側壁には、図３に示すように、ガイド溝３６が互いに対向して形成されている。ここで、ガイド溝３６は、左本体部２２と右本体部２４の内部面に長手方向に沿って上下に並設されるガイドレール３６ａ、３６ｂによって設けられる。
【００１０】
また、作動空間３４のいずれか一側壁には、長手方向に沿ってラックギヤ３８が設けられている。本発明では、添付図によれば、前記ラックギヤ３８が右本体部２４の内部面に形成されている。そして、図１の如く、発射台３０の滑走面３２にはガイドスロット３２ａが長手方向に沿って設けられているが、このガイドスロット３２ａは本体２０の作動空間３４と連通している。
【００１１】
一方、図４を参照すると、発射台３０の作動空間３４にはガイド溝３６に沿って後方の「発射準備位置」（Ａ）と前方の「発射完了位置」（Ｂ）との間を往復動しながら滑走する滑走ブロック５０が設置される。滑走ブロック５０は、飛行体１２に推進力を印加するもので、垂直軸線を中心として回転可能な回転軸５２を備えている。回転軸５２は滑走ブロック５０を垂直に貫通するもので、その両端が滑走ブロック５０の上面と下面に突出するように構成される。このような回転軸５２は垂直軸線を中心として回転可能に設置されるとともに、上下軸方向移動ができるように構成される。
【００１２】
このように、回転軸５２は軸方向移動が可能であるが、その一方で、常時上方に向けて弾支されるように構成される（「一方」の意味が多少分かりにくかったので、このように書き直しました）。このために、滑走ブロック５０の内部には、回転軸５２の周りに嵌められた状態で一端が滑走ブロック５０に支持され且つ他端が回転軸５２に支持され、前記回転軸５２を上方に付勢するコイルスプリング５４が配置される。このように、回転軸５２は上方に弾支された状態で軸方向に沿って移動できるように構成される。ここで、回転軸５２には、上方に弾支される前記回転軸５２が滑走ブロック５０から分離されないように、滑走ブロック５０と係合する外環突部５２ａが設けられている。すなわち、コイルスプリング５４は、回転軸５２の周囲に挿嵌され、前記外環突部５２ａと滑走ブロック５０の底面との間に弾装されている。（説明を加えました）
一方、回転軸５２の上端には結合部５５が設けられており、結合部５５の下方にはピニオンギヤ５６が設けられている。結合部５５は飛行体１２が嵌合されるように構成されるもので、発射台３０のガイドスロット３２ａを通過して滑走面３２の上面に突出するように構成される。結合部５５に関する内容は後述する。
【００１３】
また、ピニオンギヤ５６は、作動空間３４の側部のラックギヤ３８に噛み合うように構成される。ラックギヤ３８に噛み合うピニオンギヤ５６は、図５に示すように、前記滑走ブロック５０がガイド溝３７に沿って移動するにつれて、ラックギヤ３８に噛み合ったままで回転することにより、回転軸５２の結合部５５に嵌合される飛行体１２に回転力を印加する。つまり、ラックギヤ３８とピニオンギヤ５６は飛行体１２を回転させる回転手段として作用する。
【００１４】
一方、このような構成の滑走ブロック５０は、図４に示すように、弾性発射手段によって発射台３０の後方の「発射準備位置」（Ａ）から発射台３０の前方の「発射完了位置」（Ｂ）に速く移動する。これにより、飛行体１２は推進力を得て発射台３０の前方に飛び立つ。このような弾性発射手段は、一端が発射台３０の先端に、他端が滑走ブロック５０にそれぞれ固定される弾性体、例えばコイルスプリング６０からなる。勿論、コイルスプリング６０の代りに、ゴム紐または火薬を用いることも可能であるが、本明細書では、便宜上、弾性変形率の高いコイルスプリング６０を例として弾性発射手段を説明する。
【００１５】
一方、滑走ブロック５０の回転軸５２は、ガイド溝３６を滑走する途中で、前記ガイド溝３６の前端部から瞬間的に落下するように（軸方向下方に移動するように）構成されるが、これは飛行体１２に結合された回転軸５２の結合部５５が前記飛行体１２から容易に分離できるようにするためである。このため、本発明では回転軸落下手段が提供される。回転軸落下手段は、図４に示すように、回転軸５２の周りに設けられるフランジ５８と、回転軸５２と共に前方に移動する前記フランジ５８を押圧することができるように、本体２０の前方に設けられる傾斜突部２５とから構成される。このような回転軸落下手段は、傾斜突部２５によって、「発射完了位置」（Ｂ）に移動するフランジ５８を押圧することにより、回転軸５２を落下させ（軸方向下方に移動させ）、結合された飛行体１２と回転軸５２の結合部５５とを互いに分離させる役割を果たす。さらに、本体２０の作動空間３４の前部には隔壁２７が設けられており、この隔壁２７には、「発射準備位置」（Ａ）から「発射完了位置」（Ｂ）へ弾性移動する滑走ブロック５０の速度を減らすとともに本体２０との衝突を防止するように、衝撃吸収パッド２８が配置される。
【００１６】
さらに、図２及び図５を参照すると、本発明の玩具は、滑走ブロック５０を「発射準備位置」（Ａ）に装填させる装填把持部７０を備える。この装填把持部７０は、図２に示すように、左半分部７２と右半分部７４からなるもので、ボルトＢによって互いに組み立てられた状態で、図５に示すように、発射台３０に沿って前方の「待機位置」（Ｃ）と後方の「装填位置」（Ｄ）との間を往復動できるように設置される。特に、装填把持部７０の左右半分部７２、７４には内側に突出する押圧片７２ａ、７４ａが設けられているが、この押圧片７２ａ、７４ａは、左本体部２２と右本体部２４の長手方向に沿って設けられたガイドスロット２２ａ、２４ａを貫通して本体２０の作動空間３４の内側に突出するように構成され、作動空間３４の内側に突出した状態で滑走ブロック５０の前面を押圧するように構成される。このような押圧片７２ａ、７４ａは、前記装填把持部７０が前方の「待機位置」（Ｃ）から後方の「装填位置」（Ｄ）に移動するにつれて、前記滑走ブロック５０を「発射完了位置」（Ｂ）から「発射準備位置」（Ａ）に装填（移動）させる役割を果たす。一方、装填把持部７０は滑走ブロック５０を「発射準備位置」（Ａ）に装填（移動）させた後、自動的に「待機位置」（Ｃ）に復帰するように構成されるが、このため、本体２０の作動空間３４には、一端が装填把持部７０の押圧片７２ａ、７４ａに連結され且つ他端が本体２０の先端に連結されるコイルスプリング７６が設置される。
【００１７】
また、本発明の発射装置１０には、「発射準備位」（Ａ）に装填された滑走ブロック５０をロックさせ或いはロック解除して「発射完了位置」（Ｂ）への移動を許容するロック及びロック解除手段が設置される。ロック及びロック解除手段は、図４に示すように、滑走ブロック５０の後端に設けられる係止フック８０と、ヒンジ軸を中心として本体２０に回転可能に設置される引き金８２と、引き金８２の一側から延長される延長片８２ａと、この延長片８２ａと連動して回転するように、本体２０に回転可能に設置されるロッカー８４と、「発射準備位置」（Ａ）に配置された滑走ブロック５０の係止フック８０に係止されてロックさせるロック突起８６と、滑走ブロック５０をロックさせる方向に前記ロッカー８４を弾支するスプリング８８とからなる。ここで、ロック突起８６は、後方の「発射準備位置」（Ａ）へ移動する係止フック８０の進入を許容するようにその上面が前方及び下方に傾かなければならない。
【００１８】
このような構成により、滑走ブロック５０が「発射準備位置」（Ａ）に固定された状態でユーザが引き金８２を引くと、延長片８２ａが回転し、延長片８２ａの回転に伴ってロッカー８４も回転することになり、係止フック８０からロック突起８６を離隔させてロックを解除する。このような状態でコイルスプリング６０によって付勢された滑走ブロック５０は、「発射準備位置」（Ａ）から「発射完了位置」（Ｂ）に速く移動することができる。そして、飛行体１２を再装填するために、滑走ブロック５０を「発射完了位置」（Ｂ）から「発射準備位置」（Ａ）に移動させると、スプリング８８によって弾支されるロッカー８４のロック突起８６は、滑走ブロック５０の進入を自然に許容しながら再び係止フック８０に係止され、前記滑走ブロック５０を「発射準備位置」（Ａ）にロックさせる。
【００１９】
一方、本発明の玩具には、「発射準備位置」（Ａ）にロックされた滑走ブロック５０の発射を制限するように、引き金安全装置が設置される。特に、引き金安全装置は、図５に示すように、装填把持部７０が「待機位置」（Ｃ）に復帰した状態でのみ引き金８２の回転を許容するように構成される。このような安全装置は、図４に示すように、発射台３０の作動空間３４に「施錠位置」（Ｘ）と「解錠位置」（Ｚ）との間を往復動できるように設置され、「施錠位置」（Ｘ）で引き金８２の回転を制限するストッパー９０と、ストッパー９０を「施錠位置」（Ｘ）方向に付勢するように、一端と他端が本体２０とストッパー９０にそれぞれ支持されるスプリング９２と、「待機位置」（Ｃ）に移動する装填把持部７０に押圧されるにつれて、ストッパー９０を「施錠位置」（Ｘ）から「解錠位置」（Ｚ）に移動させる解錠ピン９４とから構成される。特に、ストッパー９０は本体２０の先端から引き金８２まで長く形成され、解錠ピン９４は図５に示すようにストッパー９０の先端両側から本体２０を貫通して外側に延在するように構成される。勿論、本体２０には、解錠ピン９４の前後移動を許容するようにスロット２９が設けられている。
【００２０】
このような安全装置は、装填把持部７０が「待機位置」（Ｃ）に復帰した状態でのみ引き金８２の回転を許容することにより、ユーザのミスまたは外部的な原因により飛行体１２が誤発射されることを前もって防止する。
【００２１】
さらに、図１より、発射台３０の滑走面３２には滑走カバー１００が配置されることが分る。この滑走カバー５１は、滑走ブロック５０に装着される飛行体１２を発射台３０の前方に案内するもので、滑走通路１０２を備えている。特に、滑走通路１０２は、図４に示すように、上部が開口されている入口１０４と、前方が開口されている出口１０６を備えているが、このような滑走カバー１００は、入口１０４から投入される飛行体１２が出口１０６を介して発射されるように案内する役割を果たす。
【００２２】
一方、前方に発射されるプロペラ型飛行体１２を考察すると、飛行体１２は、図１に示すように、ボディ１４を有し、このボディ１４の中心には多角形結合孔１４ａが設けられており、多角形結合孔１４ａには滑走ブロック５０の結合部５５が嵌合されるように構成される。この際、結合部５５の回転に伴って飛行体１２のボディ１４も共に回転しなければならないので、これに嵌合される結合部５５も断面多角形にする。ここで、結合孔１４ａと結合部５５は、前記飛行体１２が発射されると同時に互いに分離されなければならないので、充分な結合力を維持しながら容易に分離される六角形にすることが好ましい。
【００２３】
そして、ボディ１４の周りには複数の翼１６が設けられている。この翼１６はボディ１４が回転することにより揚力を発生させるもので、ボディ１４の周りに等間隔で設けられる。このような翼１６は飛行体１２の用途、即ち飛行体１２を遠く飛行させるか、或いは飛行体を高く飛行させるかによって、その個数、角度及び形状を適切に調節する。特に、翼の角度を適切に調節することにより、前記飛行体１２を発射位置に戻らせるブーメラン機能を持たせることも可能である。一方、このような翼１６はその上面が全て幅方向に沿って丸く形成されなければならないが、これはベルヌーイの定理によって揚力を発生させるためである。
【００２４】
次に、このような構成を有する飛行体発射用玩具銃の使用方法を図１、図４及び図５に基づいて考察する。まず、装填把持部７０を用いて前記滑走ブロック５０を「発射完了位置」（Ｂ）から「発射準備位置」（Ａ）に移動させた後、飛行体１２を回転軸５２の上端の結合部５５に装着する。この際、滑走ブロック５０はロック及びロック解除手段のロッカー８４によって「発射準備位置」（Ａ）に位置固定され、コイルスプリング６０によって前方に付勢されている。
【００２５】
一方、滑走ブロック５０の装填が完了すると、装填把持部７０は「待機位置」（Ｃ）に復帰される。すると、装填把持部７０は安全装置の解錠ピン９４を押圧し、これにより解錠ピン９４に連結されたストッパー９０も「施錠位置」（Ｘ）から「解錠位置」（Ｚ）に移動しながら解錠することになる。
【００２６】
そして、このような状態でロック及びロック解除手段の引き金８２を引くと、滑走ブロック５０の係止フック８０からロッカー８４のロック突起８６が離隔し、これにより滑走ブロック５０はロックが解除されるとともに「発射準備位置」（Ａ）から「発射完了位置」（Ｂ）に速く移動することになる。この際、回転軸５２に装着される飛行体１２は、前方に移動する滑走ブロック５０によって推進力を得ると共にラックギヤ３８とピニオンギヤ５６によって回転力を得ながら滑走カバー１００の滑走通路１０２に沿って前方に滑走する。そして、最終的に、前記飛行体１２は滑走ブロック５０の回転軸５２から分離され、滑走通路１０２の出口１０６を介して前方に発射される。
【００２７】
一方、滑走ブロック５０の回転軸５２は前方に滑走する過程の末期に回転軸落下手段によって瞬間的に落下し、これにより飛行体１２は回転軸５２の結合部５５から容易に分離され、前方に発射されることができる。
【００２８】
以上、本発明の好適な実施例を例示的に説明したが、本発明はこのような特定の実施例に限定されるものではなく、特許請求の範囲に記載の範疇内で適切に変更することができる。
【００２９】
【発明の効果】
以上述べたように、本発明の飛行体発射用玩具銃は、飛行体に推進力及び回転力を印加するように、発射台に沿って滑走する滑走ブロック及び回転手段を備えることにより、装填される飛行体をより遠く且つより長く飛行させることができて、子供たちの注意を引いて興味と関心を誘発することができるという効果を奏する。
【図面の簡単な説明】
【図１】本発明に係る飛行体発射用玩具銃の外観図である。
【図２】本発明に係る飛行体発射用玩具銃の構成を示す分解斜視図である。
【図３】図１のＩ−Ｉ線に沿った断面図である。
【図４】図１のＩＩ−ＩＩ線に沿った断面図である。
【図５】図４のＩＩＩ−ＩＩＩ線に沿った断面図である。
【図１】
0003578454.tif 000002
【図２】
0003578454.tif 000003
【図３】
0003578454.tif 000004
【図４】
0003578454.tif 000005
【図５】
0003578454.tif 000006